(57)【要約】【課題】人体検知センサーを設けるのに際して、便蓋の意匠性を損なわずに人体を違和感なく検知するトイレ装置を提供することを目的とする。【解決手段】便器８上に載置された本体１と、本体１と回動自在に枢着してなる便蓋３及び便座２と、人体を検知する人体検知センサー７を内蔵したセンサーユニット４を有し、センサーユニット４を便蓋３及び便座２より外側に取り付けたことにより、便蓋３にセンサーユニット４から投受光される赤外線の通過用の開口部が不要となり、便蓋３の意匠性を損なわずに人体を違和感なく検知できる。【選択図】  図１
2004275269.tif 000002
【特許請求の範囲】
【請求項１】
便器上に載置された本体と、前記本体と回動自在に枢着してなる便蓋及び便座と、前記本体と別設で人体検知センサー内蔵のセンサーユニットとを備え、前記センサーユニットは前記便蓋及び便座より外側に位置して設けたトイレ装置。
【請求項２】
センサーユニットは、人体検知センサーが便座の回動軸より前方かつ前記便座の座面よりも下に位置するように設けた請求項１に記載のトイレ装置。
【請求項３】
人体検知センサーは、赤外線の発光部と受光部を有する測距式とし、前記発光部と前記受光部は前記赤外線の同一直線上に配設した請求項１または２に記載のトイレ装置。
【請求項４】
人体検知センサーは、センサーユニット内の外側面寄りで、発光部から発光された赤外線が便座及び便蓋に接しないように配設した請求項３に記載のトイレ装置。
【発明の詳細な説明】
【０００１】
【発明の属する技術分野】
本発明は、トイレ室内の人の有無を検出する人体検知センサーを有するトイレ装置に関するものである。
【０００２】
【従来の技術】
従来、この種の人体検知センサーを有するトイレ装置は、すでに知られている（例えば、特許文献１参照）。これは、便座と便蓋が回動自在に設けられた本体に、人体検知のためのセンサーユニットを設け、便蓋にはセンサーユニットから投受光される赤外線が通過できるように開口部を設けたものである。そして、センサーユニットが人体の存在を検知すると、制御回路に信号を送り、便蓋の開閉装置を動作させて便蓋を自動的に開き、人体が存在しないことを検知すると、制御回路に信号を送り、開閉装置が作動して便蓋を自動的に閉じるものである。
【０００３】
【特許文献１】
特開２００１−２９９６４４号公報（第３図）
【０００４】
【発明が解決しようとする課題】
しかしながら、前記従来のトイレ装置では、人体検知センサーユニットを本体内に設けているために、便蓋に開口部が必要となり、これが露出して便蓋の意匠性を損なうという課題があった。
【０００５】
本発明は、前記従来の課題を解決するもので、便蓋の意匠性を損なわずに人体を違和感なく検知するトイレ装置を提供することを目的とする。
【０００６】
【課題を解決するための手段】
前記従来の課題を解決するために、本発明のトイレ装置は、本体とは別設で人体検知センサー内蔵のセンサーユニットを備え、このセンサーユニットは便蓋及び便座より外側に位置して設けたものである。
【０００７】
これにより、便蓋にセンサーユニットから投受光される赤外線の通過用の開口部が不要となり、便蓋の意匠を損なうことなく人体検知を行うことができるものである。
【０００８】
【発明の実施の形態】
請求項１に記載の発明は、便器上に載置された本体と、前記本体と回動自在に枢着してなる便蓋及び便座と、前記本体と別設で人体検知センサー内蔵のセンサーユニットとを備え、前記センサーユニットは前記便蓋及び便座より外側に位置して設けたトイレ装置としたことにより、便蓋にセンサーユニットから投受光される赤外線の通過用の開口部が不要となり、便蓋の意匠性を損なうことなく人体検知を行うことができる。
【０００９】
請求項２に記載の発明は、センサーユニットは、人体検知センサーが便座の回動軸より前方かつ前記便座の座面よりも下に位置するように設けた請求項１に記載のトイレ装置としたことにより、使用者の着座時にセンサーユニットが邪魔になることがなく、快適使用が可能となる。
【００１０】
請求項３に記載の発明は、人体検知センサーは、赤外線の発光部と受光部を有する測距式とし、前記発光部と前記受光部は前記赤外線の同一直線上に配設した請求項１または２に記載のトイレ装置としたことにより、トイレ装置の上面側から見たときに発光と受光の赤外線の位置が一致するので、横壁のペーパーホルダー等の障害物を誤検知することを防止できる。
【００１１】
請求項４に記載の発明は、人体検知センサーは、センサーユニット内の外側面寄りで、発光部から発光された赤外線が便座及び便蓋に接しないように配設した請求項３に記載のトイレ装置としたことにより、赤外線をトイレ装置の上面側から見たときにトイレ装置の中央方向へより傾けることが可能になり、センサーユニットと反対側のドアから使用者が入って来ても違和感なく人体検知センサーを反応させることができる。
【００１２】
【実施例】
以下、本発明の実施例について、図面を参照しながら説明する。
【００１３】
（実施例１）
図１、図２は本発明の実施例１におけるトイレ装置を示すものである。
【００１４】
図に示すように、本体１は便器６上に載置されており、この本体１には、便蓋３及び便座２が回動自在に枢着されている。また、前記本体１と別設で人体検知センサー７を内蔵したセンサーユニット４は、人体検知センサー７が便座２の回動軸１０より前方かつ前記便座２の座面よりも下に位置するように、便蓋３及び便座２より外側に位置して本体１の側面に設けている。更に、本体１内には、トイレ装置の機能を動作させるための制御回路８と、便蓋３の開閉を行なうための開閉装置９を有し、人体検知センサー７と開閉装置９と制御回路８とは電気的に接続されている。
【００１５】
以上のように構成されたトイレ装置について、以下その動作、作用を説明する。使用者がトイレ装置に近づくと、人体検知センサー７が使用者の存在を検知してその信号を制御回路８に伝え、制御回路８から開閉装置９へ便蓋３を開ける信号を出力し、開閉装置９を介して便蓋３が開く。また、使用者がトイレ装置から遠ざかると、人体検知センサー７が使用者の非存在を検知してその信号を制御回路８に伝え、制御回路８から開閉装置９へ便蓋３を閉める信号を出力し、開閉装置９を介して便蓋３が閉じるようになっている。
【００１６】
以上のように、本実施例においては、人体検知センサー７を本体１内の制御回路８と分離独立させ、本体１の側面に位置させたことにより、便蓋３にセンサーユニット４から投受光される赤外線の通過用の開口部が不要となり、便蓋３の意匠性を損なうことなく人体検知センサー７を設けることができる。
【００１７】
また、人体検知センサー７は便座２の回動軸１０より前方で、かつ便座２の座面よりも下に位置しているので、着座時に使用者がセンサーユニット４に接触することがなく、邪魔になることがない。
【００１８】
（実施例２）
次に、図３、図４は本発明の実施例２におけるトイレ装置を示すものである。
【００１９】
実施例１と異なるところは、人体検知センサー７を赤外線の発光部１１ａと受光部１１ｂを有する測距式とし、発光部１１ａと受光部１１ｂは赤外線の同一直線上に配設したところである。これにより、図４に示すように、トイレ装置の上面側から見たときに、使用者Ｂへの発光と、使用者Ｂからの受光の赤外線Ａ位置が一致するようになっている。他の構成は実施例１と同一である。
【００２０】
以上のように、本実施例によれば、トイレ装置の上面側から見たときに発光と受光の赤外線の位置が一致するので、横壁のペーパーホルダー等の障害物を誤検知することを防止できる。
【００２１】
（実施例３）
次に、図５、図６は本発明の実施例３におけるトイレ装置を示すものである。
【００２２】
実施例１、２と異なるところは、人体検知センサー７は、センサーユニット４内の外側面１２寄りで、発光部１１ａから発光された赤外線Ａが便座２及び便蓋３に接しないように配設したものである。すなわち、発光部１１ａから発光される赤外線Ａの向きを、トイレ装置の上面側から見たときに、便座２及び便蓋３に接しないように本体１の中央方向へ傾けたことにより、便座２又は便蓋３を使用者Ｂと誤検知しないようにしたものである。他の構成は実施例１、２と同一である。
【００２３】
以上のように、本実施例によれば、人体検知センサー７は、センサーユニット４内の外側面１２寄りで、発光部１１ａから発光された赤外線Ａが便座２及び便蓋３に接しないように配設したことにより、赤外線Ａをトイレ装置上面側から見たときに本体１の中央方向へより傾けることが可能になり、センサーユニット４と反対側のドアから使用者が入って来ても違和感なく人体検知センサー７を反応させることができる。
【００２４】
【発明の効果】
以上のように、本発明のトイレ装置によれば、本体とは別設で人体検知センサー内蔵のセンサーユニットを備え、このセンサーユニットは便蓋及び便座より外側に位置して設けたものであり、便蓋にセンサーユニットから投受光される赤外線の通過用の開口部が不要となり、便蓋の意匠を損なうことなく人体検知を行うことができるものである。
【図面の簡単な説明】
【図１】本発明の実施例１におけるトイレ装置の便蓋を開けた状態の斜視図
【図２】同トイレ装置の便蓋を閉じた状態の斜視図
【図３】本発明の実施例２におけるトイレ装置の要部斜視図
【図４】同トイレ装置における人体検知センサーから発光された赤外線と使用者との関係を示す平面図
【図５】本発明の実施例３におけるトイレ装置の要部斜視図
【図６】同トイレ装置における人体検知センサーから発光された赤外線と使用者との関係を示す平面図
【符号の説明】
１  本体
２  便座
３  便蓋
４  センサーユニット
６  便器
７  人体検知センサー
１０  回動軸
１１ａ  発光部
１１ｂ  受光部
【図１】
2004275269.tif 000003
【図２】
2004275269.tif 000004
【図３】
2004275269.tif 000005
【図４】
2004275269.tif 000006
【図５】
2004275269.tif 000007
【図６】
2004275269.tif 000008